【手続補正書】
【提出日】平成17年7月8日(2005.7.8)
【手続補正１】
【補正対象書類名】明細書
【補正対象項目名】特許請求の範囲
【補正方法】変更
【補正の内容】
【特許請求の範囲】
【請求項１】
記録トラックにアドレス情報が形成された記録型光ディスクに、光学的に情報を記録可能な光ディスク装置であって、
前記記録型光ディスクを回転駆動させる駆動手段と、
前記記録トラック上に記録されたアドレス情報を検出する検出手段と、
特定周波数の信号を発振する発振素子と、
該発振素子からの信号を基準として、前記記録型光ディスクに記録する際の記録系クロックを複数の周波数から選択して生成する記録系クロック生成手段と、
前記アドレス情報に基づき前記記録系クロックを切り替えるクロック更新タイミング出力信号を出力するクロック更新タイミング出力手段と、
前記記録系クロック生成手段から出力されるクロックを用いて記録型光ディスクに記録する記録情報を生成するエンコーダと、
前記検出手段から出力された第１のアドレス情報と前記エンコーダから出力された記録情報に含まれる第２のアドレス情報とのずれを検出するアドレスずれ検出手段と、
前記アドレスずれ検出手段から出力されるアドレスずれに応じて前記駆動手段を制御する駆動制御手段と、
を具備することを特徴とする光ディスク装置。
【請求項２】
記録トラックにアドレス情報が形成された記録型光ディスクに、光学的に情報を記録可能な光ディスク装置であって、
前記記録型光ディスクを回転駆動させる駆動手段と、
前記記録トラック上に記録されたアドレス情報を検出する検出手段と、
特定周波数の信号を発振する発振素子と、
該発振素子からの信号を基準として、前記記録型光ディスクに記録する際の記録系クロックを複数の周波数から選択した複数の周波数を時分割で選択して生成する記録系クロック生成手段と、
前記アドレス情報に基づき前記記録系クロックを切り替えるクロック更新タイミング出力信号を出力するクロック更新タイミング出力手段と、
を具備することを特徴とする光ディスク装置。
【請求項３】
記録トラックにアドレス情報が形成された記録型光ディスクに、光学的に情報を記録可能な光ディスク装置であって、
前記記録型光ディスクを回転駆動させる駆動手段と、
前記記録トラック上に記録されたアドレス情報を検出する検出手段と、
特定周波数の信号を発振する発振素子と、
該発振素子からの信号を基準として、前記記録型光ディスクに記録する際の記録系クロックを複数の周波数から選択した複数の周波数に対する設定を時分割で選択して生成する記録系クロック生成手段と、
前記アドレス情報に基づき前記記録系クロックを切り替えるクロック更新タイミング出力信号を出力するクロック更新タイミング出力手段と、
前記記録トラック上に形成された第１のアドレス情報と前記記録型光ディスクに記録する記録情報に含まれた第２のアドレス情報のずれを検出するアドレスずれ検出手段と、
前記アドレスずれ検出結果に応じて前記駆動手段を制御する駆動制御手段と、
を具備することを特徴とする光ディスク装置。
【請求項４】
情報記録媒体に対し情報を記録可能な情報記録装置であって、
情報記録媒体に予め記録されているアドレス情報を再生・復調する再生アドレス情報検出手段と、
前記情報記録媒体に記録するための記録データを生成するエンコード手段と、
前記記録データを前記情報記録媒体に記録するためのデータ記録手段と、
前記エンコード手段と前記データ記録手段の動作の基準となる記録系クロックを生成するクロック生成手段と、
前記クロック生成手段から出力する前記記録系クロックの周波数を設定するクロック周波数設定手段と、
前記情報記録媒体上のデータ記録位置を検出する記録位置検出手段と、
前記アドレス情報と前記データ記録位置情報をもとに目標記録系クロック周波数を算出して前記クロック周波数設定手段にクロック周波数設定情報を出力するクロック周波数算出手段と、
前記エンコード手段より出力される記録データに含まれた記録アドレス情報を検出する記録アドレス検出手段と、
前記アドレス情報検出手段で検出した再生アドレス情報と前記記録アドレス検出手段で検出した記録アドレス情報のずれを検出するアドレスずれ検出手段と、
前記アドレスずれ検出結果に応じて該アドレスずれが所定の値以下となるように前記駆動手段を制御する駆動制御手段と、
を備え、情報記録媒体に情報を記録する際は、前記エンコード手段と前記データ記録手段は、前記クロック生成手段から出力された前記記録系クロックをもとに情報記録媒体に情報を記録することを特徴とする情報記録装置。
【請求項５】
請求項４に記載の情報記録装置において、
情報記録媒体に情報を記録する際は、前記アドレスずれ検出手段は、記録位置の記録トラック上に形成された第１のアドレス情報と前記記録型光ディスクの前記記録位置に記録する記録情報に含まれた第２のアドレス情報の間のアドレスずれを検出し、前記駆動制御手段は前記アドレスずれ検出結果に応じ、前記第１のアドレス情報が前記第２のアドレス情報よりも所定の値以上進んでいる時には前記駆動手段の回転数を下げるように制御し、前記第１のアドレス情報が前記第２のアドレス情報よりも所定の値以上遅れている時には前記駆動手段の回転数を上げるように制御して、前記アドレスずれが所定の値以下になるように前記駆動手段を制御することを特徴とする情報記録装置。
【請求項６】
請求項４または請求項５に記載の情報記録装置において、
情報記録媒体に情報を記録する際は、前記クロック周波数算出手段は、前記データ記録位置情報と前記アドレス情報をもとに所定の時間間隔毎に前記クロック周波数設定情報を出力することを特徴とする情報記録装置。
【請求項７】
請求項４または請求項５に記載の情報記録装置において、
さらに、記録開始以降の前記再生アドレス情報と前記記録系クロックから記録位置での予測アドレス情報を算出する予測アドレス情報算出手段を備え、
情報記録媒体に情報を記録する際は、前記クロック周波数算出手段は、前記データ記録位置情報と前記予測アドレス情報をもとに前記予測アドレス情報が所定値変化する毎に前記クロック周波数設定情報を出力することを特徴とする情報記録装置。
【請求項８】
請求項４または請求項５に記載の情報記録装置において、
さらに、前記再生アドレス情報検出手段で検出した前記再生アドレス情報の正誤を検出してアドレス正誤情報を出力するアドレス情報誤り検出手段を備え、
情報記録媒体に情報を記録する際は、前記クロック周波数算出手段は、前記データ記録位置情報と前記アドレス情報をもとにアドレス誤りのないことが確認された確認済みアドレス情報が所定値変化する毎に前記クロック周波数設定情報を出力することを特徴とする情報記録装置。
【請求項９】
請求項４または請求項５に記載の情報記録装置において、
さらに、記録開始以降の前記再生アドレス情報と前記記録系クロックから記録位置での予測アドレス情報を算出する予測アドレス情報算出手段と、
前記再生アドレス情報検出手段で検出した前記再生アドレス情報の正誤を検出してアドレス正誤情報を出力するアドレス情報誤り検出手段と、
前記再生アドレス情報と前記予測アドレス情報と前記アドレス正誤情報から前記アドレス正誤情報が正しい時には前記再生アドレス情報を選択し、前記アドレス正誤情報が誤っているときには前記予測アドレス情報を選択し、出力には選択された保護アドレス情報を出力するアドレス情報切り替え手段と、
を備え、
情報記録媒体に情報を記録する際は、前記クロック周波数算出手段は、前記データ記録位置情報と前記保護アドレス情報をもとに前記保護アドレス情報が所定値変化する毎に前記クロック周波数設定情報を出力することを特徴とする情報記録装置。
【請求項１０】
請求項４から９のいずれかに記載の情報記録装置において、
情報記録媒体に情報を記録する時に情報記録媒体に入力する光エネルギー量を前記記録系クロック周波数設定の更新と同期して変化させることを特徴とする情報記録装置。
【請求項１１】
請求項４から９のいずれかに記載の情報記録装置において、
情報記録媒体に情報を記録する時に情報記録媒体に入力する光エネルギーパルスを変化するタイミング設定を前記記録系クロック周波数設定の更新と同期して変化させることを特徴とする情報記録装置。
【請求項１２】
請求項４から９のいずれかに記載の情報記録装置において、
記録系クロックを生成するクロック生成手段は周波数シンセサイザ回路を用い、該周波数シンセサイザが出力可能な周波数から選択した所定の周波数のクロック信号を生成し、これを前記記録系クロックとすることを特徴とする情報記録装置。
【請求項１３】
請求項４から９のいずれかに記載の情報記録装置において、
記録系クロックを生成するクロック生成手段は、周波数ｆＳの基準周波数信号源をもとに周波数シンセサイザ回路を用いて周波数ｆ０＝ｆＳ・（Ｍ／Ｎ)（ＭとＮは自然数）のクロック信号を生成し、前記ＭまたはＮの少なくとも一方の設定値を異なる値に切り替えることが可能なことを特徴とする情報記録装置。
【請求項１４】
請求項１２または請求項１３に記載の情報記録装置において、
記録系クロックを生成するクロック生成手段の一部である周波数シンセサイザ回路に用いる可変周波数発振器を制御する周波数制御信号の高周波数成分を低減するためのローパスフィルタのカットオフ周波数ｆＬＰＦと、前記Ｍまたは前記Ｎの値を切り替える際の切り替え周波数ｆＳＷとは、ｆＬＰＦ＜ｆＳＷの関係となることを特徴とする情報記録装置。
【請求項１５】
請求項８または請求項９に記載の情報記録装置において、
前記再生アドレス情報検出手段で検出した前記再生アドレス情報の正誤を検出するアドレス情報誤り検出手段は前記再生アドレス情報の巡回冗長コード検出結果を用い、前記巡回冗長コード検出結果が正しい時には前記再生アドレス情報が正しいものであると判別することを特徴とする情報記録装置。
【請求項１６】
請求項８または請求項９に記載の情報記録装置において、
前記再生アドレス情報検出手段で検出した前記再生アドレス情報の正誤を検出するアドレス情報誤り検出手段は前記再生アドレス情報の連続性が保たれているか否かを表わすアドレス情報連続性検出結果を用い、前記アドレス情報連続性検出結果が連続性ありとされた時には前記再生アドレス情報が正しいものであると判別することを特徴とする情報記録装置。
【請求項１７】
請求項４から９のいずれかに記載の情報記録装置において、
記録中にフォーカスサーボ信号、トラッキングサーボ信号、レーザ出射光量信号あるいはウォブル信号の少なくとも一つをサンプル／ホールドするためのサンプル／ホールドパルスタイミングを前記記録系クロック周波数設定の更新と同期して変化させることを特徴とする情報記録装置。
【請求項１８】
請求項４から９のいずれかに記載の情報記録装置において、
記録動作の停止を検出して記録動作停止信号を出力する記録動作停止検出手段を有し、記録動作を停止する時には該記録動作停止信号により記録系クロック周波数設定を更新しないことを特徴とする情報記録装置。
【請求項１９】
請求項４から９のいずれかに記載の情報記録装置において、
前記記録位置検出手段から出力されるデータ記録位置情報と前記クロック周波数算出手段から出力されるクロック周波数設定情報を前記クロック周波数更新タイミング情報による更新タイミングの指示により出力することを特徴とする情報記録装置。
【手続補正２】
【補正対象書類名】明細書
【補正対象項目名】００３２
【補正方法】削除
【補正の内容】